(57)【要約】【課題】光ディスクから読み出した再生信号に含まれるレーザノイズを効果的に除去する。【解決手段】発光素子から出射された出射レーザ光を受光して第１の受光信号を生成する第１の受光手段２Ｃと、第１の受光信号を増幅してレーザノイズキャンセル用信号を生成する第１の増幅手段３Ｃと、出射レーザ光が光ディスクで反射されてなる反射レーザ光を受光して第２の受光信号を生成する第２の受光手段２Ａと、第２の受光信号を増幅して再生信号を生成する第２の増幅手段３Ａと、レーザノイズキャンセル用信号を用いて再生信号に含まれるレーザノイズ成分をキャンセルするレーザノイズキャンセル手段６と、第１及び第２の増幅手段３Ｃ、３Ａの位相補償容量５Ｃ、５Ａの少なくとも一方の容量を制御して、レーザノイズキャンセル手段に入力されるレーザノイズキャンセル用信号及び再生信号の位相を一致もしくは位相差を低減させる位相制御手段とを設ける。【選択図】        図２
2007102986.tif 000002
【特許請求の範囲】
【請求項１】
発光素子から出射された出射レーザ光を受光し、当該出射レーザ光に応じた第１の受光信号を生成する第１の受光手段と、
上記第１の受光信号を増幅してレーザノイズキャンセル用信号を生成する第１の増幅手段と、
上記出射レーザ光が光ディスクで反射されてなる反射レーザ光を受光し、当該反射レーザ光に応じた第２の受光信号を生成する第２の受光手段と、
上記第２の受光信号を増幅して再生信号を生成する第２の増幅手段と、
上記レーザノイズキャンセル用信号を用いて上記再生信号に含まれるレーザノイズ成分を除去するレーザノイズキャンセル手段と、
上記第１の増幅手段の位相補償容量及び上記第２の増幅手段の位相補償容量の少なくとも一方の容量を制御して、上記レーザノイズキャンセル手段に入力される上記レーザノイズキャンセル用信号及び再生信号の位相を一致もしくは位相差を低減させる位相制御手段と
を具えることを特徴とする光ピックアップ。
【請求項２】
発光素子から出射された出射レーザ光を受光し、当該出射レーザ光に応じた第１の受光信号を生成する第１の受光手段と、
上記第１の受光信号を増幅してレーザノイズキャンセル用信号を生成する第１の増幅手段と、
上記出射レーザ光が光ディスクで反射されてなる反射レーザ光を受光し、当該反射レーザ光に応じた第２の受光信号を生成する第２の受光手段と、
上記第２の受光信号を増幅して再生信号を生成する第２の増幅手段と、
上記レーザノイズキャンセル用信号を用いて上記再生信号に含まれるレーザノイズ成分を除去するレーザノイズキャンセル手段と、
上記第１の増幅手段の位相補償容量及び上記第２の増幅手段の位相補償容量の少なくとも一方の容量を制御して、上記レーザノイズキャンセル手段に入力される上記レーザノイズキャンセル用信号及び再生信号の位相を一致もしくは位相差を低減させる位相制御手段と
を具えることを特徴とする光集積素子。
【請求項３】
発光素子から出射された出射レーザ光を受光し、当該出射レーザ光に応じた第１の受光信号を生成する第１の受光手段と、
上記第１の受光信号を増幅してレーザノイズキャンセル用信号を生成する第１の増幅手段と、
上記出射レーザ光が光ディスクで反射されてなる反射レーザ光を受光し、当該反射レーザ光に応じた第２の受光信号を生成する第２の受光手段と、
上記第２の受光信号を増幅して再生信号を生成する第２の増幅手段と、
上記レーザノイズキャンセル用信号を用いて上記再生信号に含まれるレーザノイズ成分を除去するレーザノイズキャンセル手段と、
上記第１の増幅手段の位相補償容量及び上記第２の増幅手段の位相補償容量の少なくとも一方の容量を制御して、上記レーザノイズキャンセル手段に入力される上記レーザノイズキャンセル用信号及び再生信号の位相を一致もしくは位相差を低減させる位相制御手段と
を具えることを特徴とする光ディスク装置。
【発明の詳細な説明】
【技術分野】
【０００１】
本発明は光ピックアップ、光集積素子及び光ディスク装置に関し、再生信号からレーザノイズ成分を除去する技術に適用して好適なものである。
【背景技術】
【０００２】
従来、光ディスク装置において、ＰＤ（Photo Detector）から出力される再生信号に含まれるレーザノイズ成分をキャンセル（除去）する方法として、ＬＮＣ（Laser Noise Canceller）回路を用いたものがある（例えば、特許文献１参照）。
【０００３】
図５はＬＮＣ回路を有する光ピックアップ１の回路構成の要部を示し、光ディスク（図示せず）で反射された反射レーザ光を受光するＰＤ２Ａと、レーザダイオード（図示せず）からのモニタレーザ光を受光するＦＰＤ（Front Photo Detector）２Ｂを有している。
【０００４】
ＰＤ用差動増幅器３Ａの逆相入力には、ＰＤ２Ａのカソードが接続されているとともに、正相入力には一定のバイアス電圧ＶＲＥＦが加えられている。同様にＦＰＤ用差動増幅器３Ｂの逆相入力には、ＦＰＤ２Ｂのカソードが接続されているとともに、正相入力にはバイアス電圧ＶＲＥＦが加えられている。
【０００５】
また、ＰＤ用差動増幅器３Ａの逆相入力と出力の間、及びＦＰＤ用差動増幅器３Ｂの逆相入力と出力の間には、それぞれ帰還抵抗４Ａ及び４Ｂが接続されている。さらに、ＰＤ用差動増幅器３Ａの逆相入力と出力の間、及びＦＰＤ用差動増幅器３Ｂの逆相入力と出力の間には、ＰＤ用差動増幅器３Ａ及びＦＰＤ用差動増幅器３Ｂの周波数特性が最適になるように調整するための位相補償容量５Ａ及び５Ｂが設けられている。
【０００６】
ＰＤ２Ａは、反射レーザ光を受光して光−電流変換して受光信号を生成し、ＰＤ用差動増幅器３Ａの逆相入力に入力する。ＰＤ用差動増幅器３Ａは受光信号を増幅して再生信号を生成し、これをＬＮＣ回路６に供給する。
【０００７】
一方ＦＰＤ２Ｂは、モニタレーザ光を受光して光−電流変換して受光信号を生成し、ＦＰＤ用差動増幅器３Ｂの逆相入力に入力する。ＦＰＤ用差動増幅器３Ｂは受光信号を増幅してＦＰＤ信号を生成し、これを光ディスク装置の信号処理部（図示せず）及びＬＮＣ回路６に供給する。
【０００８】
ここで、ＰＤ２Ａに入射される反射レーザ光には光ディスクの記録面に記録された信号のみならず、レーザダイオードから出射されるレーザ光のノイズ成分を含んでおり、ＦＰＤ３Ｂに入射されるモニタレーザ光も同様のノイズ成分を含んでいる。したがって、ＬＮＣ回路６は再生信号に含まれるノイズ成分をＦＰＤ信号に含まれるノイズ成分で相殺することにより、ノイズ成分を除去した再生信号を出力する。
【特許文献１】特開２００５−４８４８公報
【発明の開示】
【発明が解決しようとする課題】
【０００９】
上述したＬＮＣ回路によってレーザノイズを最大限キャンセルするには、再生信号及びＦＰＤ信号の信号レベルを一致もしくは極力近づけて、双方のレーザノイズレベルを一致もしくは近づけるとともに、信号の遅延量を一致もしくは極力近づける（すなわち、両者の位相を一致もしくは位相差を極力低減させてＬＮＣ回路６に入力させる）必要がある。
【００１０】
しかし、反射レーザ光及びモニタレーザ光は異なる光路を経由するため、それぞれの光路効率が異なり、このため再生信号用差動増幅器３Ａ及びＦＰＤ用差動増幅器３Ｂのゲイン設定に差が生じる。
【００１１】
そして、このゲイン差によって再生信号用差動増幅器３Ａ及びＦＰＤ用差動増幅器３Ｂの回路遅延量に差が生じ、このためＬＮＣ回路６に対する再生信号及びＦＰＤ信号の位相がずれてしまい、これによりレーザノイズを十分にキャンセルできなくなるという問題がある。また、フォトダイオードや差動増幅器は製造ロット等に応じてその特性が微妙に異なり、これによっても遅延量は変化してしまう。
【００１２】
さらに、近年では記録可能な光ディスクや書換可能な光ディスク、さらには多層ディスク等の様々な光ディスクが開発されているが、これら複数種類のディスクに対応可能な光ピックアップでは、反射光量の違いからディスク種別に応じて再生信号用差動増幅器のゲイン設定を変える必要があるため、種々のディスクに対して回路遅延量を完全に一致させることはさらに困難であるという問題があった。
【００１３】
本発明は以上の点を考慮してなされたもので、再生信号に含まれるレーザノイズを効果的に除去し得る光ピックアップ、光集積素子及び光ディスク装置を提案しようとするものである。
【課題を解決するための手段】
【００１４】
かかる課題を解決するため本発明においては、発光素子から出射された出射レーザ光を受光し、当該出射レーザ光に応じた第１の受光信号を生成する第１の受光手段と、第１の受光信号を増幅してレーザノイズキャンセル用信号を生成する第１の増幅手段と、出射レーザ光が光ディスクで反射されてなる反射レーザ光を受光し、当該反射レーザ光に応じた第２の受光信号を生成する第２の受光手段と、第２の受光信号を増幅して再生信号を生成する第２の増幅手段と、レーザノイズキャンセル用信号を用いて再生信号に含まれるレーザノイズ成分をキャンセルするレーザノイズキャンセル手段と、第１の増幅手段の位相補償容量及び第２の増幅手段の位相補償容量の少なくとも一方の容量を制御して、レーザノイズキャンセル手段に入力されるレーザノイズキャンセル用信号及び再生信号の位相を一致もしくは位相差を低減させる位相制御手段とを設けた。
【００１５】
位相補償容量の容量を制御して第１の増幅手段と第２の増幅手段の回路遅延量を合致させることにより、レーザノイズキャンセル手段に入力されるレーザノイズキャンセル用信号及び再生信号の位相を一致もしくは位相差を低減させて、再生信号に含まれるレーザノイズ成分をより効果的に除去することができる。
【発明の効果】
【００１６】
本発明によれば、発光素子から出射された出射レーザ光を受光し、当該出射レーザ光に応じた第１の受光信号を生成する第１の受光手段と、第１の受光信号を増幅してレーザノイズキャンセル用信号を生成する第１の増幅手段と、出射レーザ光が光ディスクで反射されてなる反射レーザ光を受光し、当該反射レーザ光に応じた第２の受光信号を生成する第２の受光手段と、第２の受光信号を増幅して再生信号を生成する第２の増幅手段と、レーザノイズキャンセル用信号を用いて再生信号に含まれるレーザノイズ成分をキャンセルするレーザノイズキャンセル手段と、第１の増幅手段の位相補償容量及び第２の増幅手段の位相補償容量の少なくとも一方の容量を制御して、レーザノイズキャンセル手段に入力されるレーザノイズキャンセル用信号及び再生信号の位相を一致もしくは位相差を低減させる位相制御手段とを設けたことにより、レーザノイズキャンセル手段に入力されるレーザノイズキャンセル用信号及び再生信号の位相を一致もしくは位相差を低減させて、再生信号に含まれるレーザノイズ成分をより効果的に除去し得る光ピックアップ、光集積素子及び光ディスク装置を実現することができる。
【発明を実施するための最良の形態】
【００１７】
以下図面について、本発明の一実施の形態を詳述する。
【００１８】
（１）光ディスク装置の全体構成
図１において、１０は全体として本発明を適用した光ディスク装置を示し、制御部１１が、不揮発性メモリ（図示せず）に格納された基本プログラムやアプリケーションプログラムに従って当該光ディスク装置１０の各部を制御するようになされている。
【００１９】
すなわち制御部１１は、サーボ回路１２を介してスピンドルモータ１３を回転させ、ターンテーブル（図示せず）に載置された光ディスク１７を回転駆動する。また制御部１１は、サーボ回路１２を介して送りモータ１４を回転させ、光ピックアップ１６を光ディスク１７の半径方向に移動させる。さらに制御部１１は信号処理部１５を制御し、光ディスク１７に対するデータの読出及び書込を実行させる。
【００２０】
また制御部１１は光ピックアップ１６のレンズ駆動装置（図示せず）を制御し、当該光ピックアップ７の対物レンズをトラッキング方向及びフォーカス方向に駆動して、光ディスク１６の記録面にレーザ光を合焦させる。
【００２１】
この光ディスク装置１０は複数種類の光ディスクに対応しており、ディスク種別に応じた最適な光ビーム出力等の各種制御パラメータを不揮発メモリ（図示せず）に記憶している。そして制御部１１は、装着された光ディスク１７の種別を光ピックアップ７からの再生信号等に基づいて認識し、当該認識した種類に応じた制御パラメータを用いてレーザ出力や発光パターン、スピンドル回転数等を制御する。
【００２２】
（２）光ピックアップの構成
次に、光ピックアップ１６の構成を図２を用いて説明する。光ピックアップ１６は、光源であるレーザダイオード２１、コリメータレンズ２２、偏光ビームスプリッタ２３、１／４波長板２４、対物レンズ２５、集光レンズ２６及び受光部２を有する。受光部２は、ＰＤ２Ａ、ＦＰＤ２Ｂ及びＬＮＣ用ＦＰＤ２Ｃで構成される。
【００２３】
偏光ビームスプリッタ２３は偏光反射面２３Ａと全反射面２３Ｂとを有している。偏光ビームスプリッタ２３の全反射面２３Ｂは光路に対する垂直な面に対して僅かに傾斜している。偏光ビームスプリッタ２３の偏光反射面２３Ａは、たとえばＳ偏光を全反射させ、Ｐ偏光の９０％を透過させＰ偏光の１０％を反射するように設定されている。
【００２４】
コリメータレンズ２２は、レーザダイオード２１が発するＰ偏光でなる出射レーザ光を平行光線化し、偏光ビームスプリッタ２３に入射する。偏光ビームスプリッタ２３の偏光反射面２３Ａは、出射レーザ光の約９０％を透過し、１／４波長板２４及び対物レンズ２５を介して光ディスク１７に照射する。
【００２５】
光ディスク１７で反射された反射レーザ光は対物レンズ２５を通過し、１／４波長板２４を介して偏光ビームスプリッタ２３に入射する。偏光反射面２３Ａは、S偏光でなる反射レーザ光を全反射し、集光レンズ２６を介して受光部２のＰＤ２Ａに照射する。
【００２６】
また偏光反射面２３Ａは、レーザダイオード２１が発するＰ偏光でなる出射レーザ光の約１０％を反射し、モニタレーザ光として全反射面２３Ｂに入射させる。全反射面２３Ｂはモニタレーザ光の光軸を僅かに傾けて偏光反射面２３Ａに再入射する。
【００２７】
偏光反射面２３Ａはモニタレーザ光の約９０％を透過し、集光レンズ２６を介して経由して、受光部２のＦＰＤ２Ｂ及びＬＮＣ用ＦＰＤ２Ｃに照射する。
【００２８】
このようにして、光ディスク１７の記録面で反射された反射レーザ光による再生信号と、
レーザダイオード２１からのモニタレーザ光によるＬＮＣ信号を同時に且つ別個に得ることができる。
【００２９】
なお、偏光ビームスプリッタ２３の全反射面２３Ｂで反射され偏光反射面２３Ａに到達したモニタレーザ光の１０％と、レーザダイオード２１が発するＳ偏光でなる出射レーザ光の１００％は、偏光ビームスプリッタ面２３Ａで反射されてレーザダイオード２１の方向に偏向されるが、全反射面２３Ｂが光軸に対して傾斜しているため、この反射光はレーザダイオード２１に到達することはない。
【００３０】
（３）光ピックアップの構成
次に、本発明によるレーザノイズキャンセル方法を適用した光ピックアップ１６の回路構成について説明する。
【００３１】
図５との対応部分に同一符号を付して示す図３は、光ピックアップ１６の回路構成の要部を示し、光ディスク１７（図１）で反射された反射レーザ光を受光する第２の受光手段としてのＰＤ２Ａと、レーザダイオード２１（図１）からの出射レーザ光をモニタレーザ光として受光する第３の受光手段としてのＦＰＤ２Ｂ及び第１の受光手段としてのＬＮＣ用ＦＰＤ２Ｃを有している。
【００３２】
ＰＤ用差動増幅器３Ａの逆相入力には、ＰＤ２Ａのカソードが接続されているとともに、正相入力には一定のバイアス電圧ＶＲＥＦが加えられている。同様にＦＰＤ用差動増幅器３Ｂの逆相入力には、ＦＰＤ２Ｂのカソードが接続されているとともに、正相入力にはバイアス電圧ＶＲＥＦが加えられている。また、ＰＤ用差動増幅器３Ａの逆相入力と出力の間、及びＦＰＤ用差動増幅器３Ｂの逆相入力と出力の間には、それぞれ帰還抵抗４Ａ及び４Ｂが接続されている。
【００３３】
ＰＤ２Ａは、反射レーザ光を受光して光−電流変換して受光信号を生成し、ＰＤ用差動増幅器３Ａの逆相入力に入力する。第２の増幅手段としてのＰＤ用差動増幅器３Ａは受光信号を増幅して再生信号を生成し、これをＬＮＣ回路６に供給する。
【００３４】
一方ＦＰＤ２Ｂは、モニタレーザ光を受光して光−電流変換して受光信号を生成し、ＦＰＤ用差動増幅器３Ｂの逆相入力に入力する。第３の増幅手段としてのＦＰＤ用差動増幅器３Ｂは受光信号を増幅して、レーザ光の出力パワー制御のためのＦＰＤ信号を生成する。
【００３５】
かかる構成に加えて光ピックアップ１６の受光部２は、上述したように、従来からあるレーザパワーコントロール用のＦＰＤ２Ｂに加えて、レーザノイズキャンセルのために用いるＬＮＣ用ＦＰＤ２Ｃを有している。ＬＮＣ用ＦＰＤ２ＣはＦＰＤ２Ｂの一部を区分して設けられ、共にモニタ用レーザ光を受光するよう配置されている。
【００３６】
ＬＮＣ用ＦＰＤ２Ｃの出力は、専用のＬＮＣ用帰還増幅器３Ｃによって増幅される。すなわち、ＬＮＣ用差動増幅器３Ｃの逆相入力にはＬＮＣ用ＦＰＤ２Ｃのカソードが接続されているとともに、正相入力にはバイアス電圧ＶＲＥＦが加えられている。また、ＦＰＤ用差動増幅器３Ｃの逆相入力と出力の間には帰還抵抗４Ｃが接続されている。
【００３７】
ＬＮＣ用ＦＰＤ２Ｃは、モニタレーザ光を受光して光−電流変換して受光信号を生成し、ＬＮＣ用差動増幅器３Ｃの逆相入力に入力する。第１の増幅手段としてのＬＮＣ用差動増幅器３Ｃは受光信号を増幅して専用のＬＮＣ信号を生成し、ＬＮＣ回路６に供給する。
【００３８】
なお、図３に示したＰＤ２Ａ〜２Ｃ、帰還増幅器３Ａ〜３Ｃ及びＬＮＣ回路６の各素子は同一の光集積素子上に設けられており、これにより、素子それぞれの特性のばらつきを最小限に抑え得るようになされている。
【００３９】
ＬＮＣ回路６は、ＰＤ用差動増幅器３Ａから供給された再生信号に含まれるノイズ成分を、ＬＮＣ用差動増幅器３Ｃから供給されるＬＮＣ信号で相殺することにより、ノイズ成分を除去した再生信号を出力する。
【００４０】
そしてこの光ピックアップ１６では、ＬＮＣ用差動増幅器３Ｃの遅延量を独立して調整し得るようになされており、これによりＬＮＣ回路に供給される再生信号及びＬＮＣ信号の位相を一致もしくは位相差を低減させることができる。
【００４１】
すなわち、ＬＮＣ用差動増幅器３Ｃの逆相入力と出力の間に容量可変式でなる位相補償容量５Ｃを設け、信号処理部１５から供給される位相補償容量設定信号によって当該位相補償容量５Ｃの容量を調整することにより、ＰＤ用差動増幅器３Ａ及びＬＮＣ用差動増幅器３Ｃの遅延量を一致もしくは近づけさせ、再生信号及びＬＮＣ信号の位相を一致もしくは位相差を低減させる。
【００４２】
本来、差動増幅器の位相補償容量はその周波数特性が最適になるよう調整するためのものであるが、ＬＮＣ用差動増幅器３Ｃはレーザノイズキャンセルのためだけに用いられるものであるから、信号位相を一致もしくは位相差を低減させることのみを目的として位相補償容量５Ｃの容量設定を行うことができる。
【００４３】
かかる位相補償容量５Ｃの容量設定は、制御部１１が光ディスク１７の種別、及び各種回路素子の個別の特性差に応じて位相補償容量設定信号を生成し、これを位相補償容量５Ｃに供給する。位相補償容量５Ｃは位相補償容量設定信号に応じて自身の容量を可変する。このとき、ＬＮＣ信号の位相を遅らせたい場合は位相補償容量５Ｃの容量を大きくして過補償気味にし、逆に位相を早めたい場合は出力が発振しない範囲で位相補償容量５Ｃの容量を小さくすればよい。
【００４４】
（４）動作及び効果
以上の構成において、この光ディスク装置１では、ＬＮＣ信号を生成するためのＬＮＣ用ＦＰＤ２Ｃ及びＬＮＣ用帰還増幅器３Ｃを、レーザパワーコントロール用のＦＰＤ２Ｂ及びＦＰＤ用差動増幅器３Ｂと別個に独立して設けた。
【００４５】
このため光ディスク装置１では、ＬＮＣ用帰還増幅器３Ｃの位相補償容量５Ｃの値を信号位相一致のためだけに設定することができ、これにより、ＦＰＤ用差動増幅器３Ｂのゲイン設定とは関係無く、ディスク種別や素子の特性差に応じてＬＮＣ信号の遅延量を適切に調整して再生信号及びＬＮＣ信号の位相を一致もしくは位相差を低減させ、ＬＮＣ回路６によるレーザノイズキャンセル量を従来に比して増加させることができる。
【００４６】
以上の構成によれば、各帰還増幅器のゲイン設定に関わらず、再生信号及びＬＮＣ信号の位相を一致もしくは位相差を低減させて、再生信号に含まれるレーザノイズをより効果的に除去することができる。
【００４７】
（５）他の実施の形態
なお上述の実施の形態においては、ＬＮＣ信号を生成するためのＬＮＣ用ＦＰＤ２Ｃを独立して設けるようにしたが、本発明はこれに限らず、レーザパワーコントロール用のＦＰＤ２Ｃの出力を独立した帰還増幅器で増幅してＬＮＣ信号を生成し、この帰還増幅器の位相補償容量を調節して再生信号及びＬＮＣ信号の位相を一致させるようにしてもよい。
【００４８】
すなわち、図３との共通部分に同一符号を付して示す図４は、他の実施の形態の光ピックアップ３０の回路構成を示し、ＬＮＣ用ＦＰＤ２Ｃを持たない点で図３に示した光ピックアップ１６と相違する。
【００４９】
ＰＤ用差動増幅器３Ａは、ＰＤ２Ａの出力を増幅して再生信号を生成し、これをＬＮＣ回路６に供給する。またＦＰＤ用差動増幅器３Ｂは、ＦＰＤ２Ｂの出力を増幅してパワーコントロール用のＦＰＤ信号を生成し、信号処理部１５（図１）に供給する。
【００５０】
かかる構成に加えて、ＦＰＤ用差動増幅器３Ｂの出力は抵抗７を介してＬＮＣ用帰還増幅器３Ｃの正相入力に接続されており、また、当該ＬＮＣ用差動増幅器３Ｃの逆相入力は、抵抗８を介してバイアス電圧ＶＲＥＦに接続され、さらに逆相入力と出力の間には帰還抵抗４Ｃ及び位相補償容量５Ｃが接続されている。
【００５１】
ＬＮＣ用差動増幅器３Ｃは、正相入力に供給されるＦＰＤ信号を増幅してＬＮＣ信号を生成し、これをＬＮＣ回路６に供給する。ＬＮＣ回路６は、ＰＤ用差動増幅器３Ａから供給された再生信号に含まれるノイズ成分を、ＬＮＣ用差動増幅器３Ｃから供給されるＬＮＣ信号で相殺することにより、ノイズ成分を除去した再生信号を出力する。
【００５２】
このとき制御部１１（図１）は、光ディスク１７の種別、及び各種回路素子の個別の特性差に応じて位相補償容量設定信号を生成し、これを位相補償容量５Ｃに供給することにより、ＰＤ用差動増幅器３Ａの遅延量と、ＦＰＤ用差動増幅器３Ｂ及びＬＮＣ用差動増幅器３Ｃの遅延量を一致もしくは近づけさせて、再生信号及びＬＮＣ信号の位相を一致もしくは位相差を低減させ、ＬＮＣ回路６によるレーザノイズキャンセル量を従来に比して増加させることができる。
【００５３】
また上述の実施の形態においては、ＰＤ２Ａ〜２Ｃ、帰還増幅器３Ａ〜３Ｃ及びＬＮＣ回路６の各素子が同一のチップ上に設けられている場合について述べたが、本発明はこれに限らず、これらが独立した素子で構成されている光ピックアップに本発明を適用することができる。
【００５４】
さらに上述の実施の形態においては、ＬＮＣ用差動増幅器３Ｃの位相補償容量５Ｃの容量を調節して再生信号及びＬＮＣ信号の位相を一致もしくは位相差を低減させるようにしたが、本発明はこれに限らず、ＬＮＣ用差動増幅器３Ｃ及びＰＤ用差動増幅器３Ａそれぞれの位相補償容量５Ｃ及び５Ａの容量をともに調節して再生信号及びＬＮＣ信号の位相を一致もしくは位相差を低減させるようにしたり、あるいはＰＤ用差動増幅器３Ａの位相補償容量５Ａの容量のみを調節して再生信号及びＬＮＣ信号の位相を一致させるようにしてもよい。
【００５５】
さらに上述の実施の形態においては、制御部１１が光ディスク１７の種別、及び各種回路素子の個別の特性差に応じて位相補償容量５Ｃの容量を調節することにより、再生信号及びＬＮＣ信号の位相を一致もしくは位相差を低減させるようにしたが、本発明はこれに限らず、光ピックアップの開発時や製造時において位相補償容量５Ｃの容量を調節するようにしてもよく、あるいは、ＬＮＣ回路６によるノイズキャンセル量が最大になるように制御部１１がリアルタイムで位相補償容量５Ｃの容量を調整するようにしてもよい。
【図面の簡単な説明】
【００５６】
【図１】光ディスク装置の全体構成を示すブロック図である。
【図２】光ピックアップの構成を示す略線図である。
【図３】本発明による光ピックアップの回路構成を示すブロック図である。
【図４】他の実施の形態による光ピックアップの回路構成を示すブロック図である。
【図５】従来の光ピックアップの回路構成を示すブロック図である。
【符号の説明】
【００５７】
１、１６、３０……光ピックアップ、２……受光部、２Ａ……ＰＤ、２Ｂ……ＦＰＤ、２Ｃ……ＬＮＣ用ＦＰＤ、３Ａ……ＰＤ用差動増幅器、３Ｂ……ＦＰＤ用差動増幅器、３Ｃ……ＬＮＣ用差動増幅器、４Ａ、４Ｂ、４Ｃ……帰還抵抗、５Ａ、５Ｂ、５Ｃ……位相補償容量、６……ＬＮＣ回路、７、８……抵抗、１０……光ディスク装置、１１……制御部、１２……サーボ回路、１３……スピンドルモータ、１４……送りモータ、１５……信号処理部、１６……光ピックアップ、１７……光ディスク、２１……レーザダイオード、２２……コリメータレンズ、２３……偏光ビームスプリッタ、２４……１／４波長板、２５……対物レンズ、２６……集光レンズ２６。
【図１】
2007102986.tif 000003
【図２】
2007102986.tif 000004
【図３】
2007102986.tif 000005
【図４】
2007102986.tif 000006
【図５】
2007102986.tif 000007
【手続補正書】
【提出日】平成17年11月10日(2005.11.10)
【手続補正１】
【補正対象書類名】明細書
【補正対象項目名】００３１
【補正方法】変更
【補正の内容】
【００３１】
図５との対応部分に同一符号を付して示す図３は、光ピックアップ１６の回路構成の要部を示し、光ディスク１７（図１）で反射された反射レーザ光を受光する第２の受光手段としてのＰＤ２Ａと、レーザダイオード２１（図２）からの出射レーザ光をモニタレーザ光として受光する第３の受光手段としてのＦＰＤ２Ｂ及び第１の受光手段としてのＬＮＣ用ＦＰＤ２Ｃを有している。
【手続補正２】
【補正対象書類名】明細書
【補正対象項目名】００５４
【補正方法】変更
【補正の内容】
【００５４】
さらに上述の実施の形態においては、ＬＮＣ用差動増幅器３Ｃの位相補償容量５Ｃの容量を調節して再生信号及びＬＮＣ信号の位相を一致もしくは位相差を低減させるようにしたが、本発明はこれに限らず、ＬＮＣ用差動増幅器３Ｃ及びＰＤ用差動増幅器３Ａそれぞれの位相補償容量５Ｃ及び５Ａの容量をともに調節して再生信号及びＬＮＣ信号の位相を一致もしくは位相差を低減させるようにしたり、あるいはＰＤ用差動増幅器３Ａの位相補償容量５Ａの容量のみを調節して再生信号及びＬＮＣ信号の位相を一致もしくは位相差を低減させるようにしてもよい。
【手続補正３】
【補正対象書類名】図面
【補正対象項目名】図４
【補正方法】変更
【補正の内容】
【図４】
2007102986.tif 000008